(57)【要約】【課題】ハブに対するフランジの位置決めが精度よくできるリール組立用治具と、それによって組み立てられるリールの提供を課題とする。【解決手段】記録テープＴが巻回される円筒状のハブ２２と、ハブ２２の一方の端部側に設けられる第１フランジ２４と、制動部材８０が係合する係合部４８が形成されるとともに、制動部材８０と係合部４８との係合を解除する解除部材９０の脚部９４が挿通される複数の貫通孔２９が形成され、ハブ２２の他方の端部側に設けられる第２フランジ２６と、を備えたリール２０であって、そのリール２０を組み立てる際に使用するリール組立用治具１１０に、複数の貫通孔２９に挿通させる複数の基準部材１１４を備える。【選択図】図６
2007335053.tif 000002
【特許請求の範囲】
【請求項１】
記録テープが巻回される円筒状のハブと、
前記ハブの一方の端部側に設けられる第１フランジと、
制動部材が係合する係合部が形成されるとともに、該制動部材と該係合部との係合を解除する解除部材の脚部が挿通される複数の貫通孔が形成され、前記ハブの他方の端部側に設けられる第２フランジと、
を備えたリールを組み立てる際に使用するリール組立用治具であって、
前記複数の貫通孔に挿通させる複数の基準部材を有することを特徴とするリール組立用治具。
【請求項２】
記録テープが巻回される円筒状のハブと、
前記ハブの一方の端部側に設けられる第１フランジと、
制動部材が係合する係合部が形成されるとともに、該制動部材と該係合部との係合を解除する解除部材の脚部が挿通される複数の貫通孔が形成され、前記ハブの他方の端部側に設けられる第２フランジと、
を備えたリールであって、
前記第１フランジに前記ハブの内側に挿入させる第１延設部を立設し、前記第２フランジに前記ハブの内側に挿入させ、前記第１延設部に溶着する第２延設部を立設するとともに、前記第１延設部と前記第２延設部の内周面に、請求項１に記載のリール組立用治具の基準部材を許容する許容部を形成したことを特徴とするリール。
【発明の詳細な説明】
【技術分野】
【０００１】
本発明は、コンピューター等のデータ保存用として使用される磁気テープ等の記録テープが巻回されるリールを組み立てるときに使用するリール組立用治具と、それによって組み立てられるリールに関する。
【背景技術】
【０００２】
従来、コンピューター等のデータ記録再生媒体（データバックアップ）として使用される磁気テープ等の記録テープを樹脂製のリールに巻装し、そのリールをケース内に単一で収容してなる記録テープカートリッジが知られている。このような記録テープカートリッジのリールにおいては、記録テープが巻回されるハブと、記録テープの幅方向端部を保持する上フランジ及び下フランジが、それぞれ別体で成形される場合がある。
【０００３】
このような３ピース（部品）構造のリールでは、ハブの上端部に上フランジが溶着され、ハブの下端部に下フランジが溶着される。そのため、ハブに対する上フランジ及び下フランジの位置決め精度が重要となる。すなわち、ハブに対する上フランジ及び下フランジの取付位置がずれると、リールの回転時に、上フランジや下フランジに面振れが生じるおそれがあり、その面振れが大きい場合には、記録テープの幅方向端部に、上フランジや下フランジが接触するなどの不具合が生じる（例えば、特許文献１参照）。
【特許文献１】特開２０００−１７３２２９号公報
【発明の開示】
【発明が解決しようとする課題】
【０００４】
そこで、本発明は、上記問題点に鑑み、ハブに対するフランジの位置決めが精度よくできるリール組立用治具と、それによって組み立てられるリールを得ることを目的とする。
【課題を解決するための手段】
【０００５】
上記の目的を達成するために、本発明に係る請求項１に記載のリール組立用治具は、記録テープが巻回される円筒状のハブと、前記ハブの一方の端部側に設けられる第１フランジと、制動部材が係合する係合部が形成されるとともに、該制動部材と該係合部との係合を解除する解除部材の脚部が挿通される複数の貫通孔が形成され、前記ハブの他方の端部側に設けられる第２フランジと、を備えたリールを組み立てる際に使用するリール組立用治具であって、前記複数の貫通孔に挿通させる複数の基準部材を有することを特徴としている。
【０００６】
請求項１に記載の発明によれば、リール組立用治具が、第２フランジに形成される貫通孔に挿通させる基準部材を有しているので、その基準部材によって、第１フランジ、第２フランジ、ハブの位置決めが精度よくできる。つまり、ハブに対するフランジの位置決めが精度よくできる。
【０００７】
また、本発明に係る請求項２に記載のリールは、記録テープが巻回される円筒状のハブと、前記ハブの一方の端部側に設けられる第１フランジと、制動部材が係合する係合部が形成されるとともに、該制動部材と該係合部との係合を解除する解除部材の脚部が挿通される複数の貫通孔が形成され、前記ハブの他方の端部側に設けられる第２フランジと、を備えたリールであって、前記第１フランジに前記ハブの内側に挿入させる第１延設部を立設し、前記第２フランジに前記ハブの内側に挿入させ、前記第１延設部に溶着する第２延設部を立設するとともに、前記第１延設部と前記第２延設部の内周面に、請求項１に記載のリール組立用治具の基準部材を許容する許容部を形成したことを特徴としている。
【０００８】
請求項２に記載の発明によれば、第１フランジの第１延設部の内周面と、第２フランジの第２延設部の内周面に、基準部材を許容する許容部が形成されているので、その第１延設部と第２延設部との相対位置が基準部材によって規制される。したがって、ハブの内側に挿入して溶着する第１フランジと第２フランジの位置決めが精度よくできる。つまり、ハブに対するフランジの位置決めが精度よくできる。
【発明の効果】
【０００９】
以上のように、本発明によれば、ハブに対するフランジの位置決めが精度よくできるリール組立用治具と、それによって組み立てられるリールを提供することができる。
【発明を実施するための最良の形態】
【００１０】
以下、本発明の最良な実施の形態について、図面に示す実施例を基に詳細に説明する。まず最初に記録テープカートリッジ１０とリール２０について説明し、次にリール組立用治具１１０について説明する。また、その説明の便宜上、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とし、矢印Ａ及び矢印Ｂと直交する矢印Ｃ方向を上方向（上側）とする。また、以下において「径方向」と言う場合は、ケース１２に収容されたリール２０の軸心（中心）線から放射状に外方へ向かう方向と平行な方向を指している。
【００１１】
図１乃至図３で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やねじ止め等によって接合されて構成されている。
【００１２】
ケース１２の右壁１２Ｂには、後述するリール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。リーダーピン３０の記録テープＴの幅方向端部より突出した両端部には、環状溝３２が形成されており、この環状溝３２が引出部材のフック等に係止される。これにより、記録テープＴを引き出す際に、フック等が記録テープＴに接触して傷付けることがない構成である。
【００１３】
また、ケース１２の開口１８の内側、即ち上ケース１４の天板１４Ａ内面及び下ケース１６の底板１６Ａ内面には、ケース１２内において、リーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００１４】
また、ピン保持部３６の近傍には、板バネ３８が固定配置されるようになっており、この板バネ３８の二股状の先端部がリーダーピン３０の上下両端部３４にそれぞれ係合して、リーダーピン３０をピン保持部３６に保持するようになっている。なお、リーダーピン３０がピン保持部３６に出入する際には、板バネ３８の先端部は適宜弾性変形してリーダーピン３０の移動を許容する構成である。
【００１５】
また、その開口１８は、ドア５０によって開閉される。このドア５０は、開口１８を閉塞可能な大きさの略矩形板状に形成され、ケース１２の右壁１２Ｂに沿って移動できるように、開口１８の内側の天板１４Ａ及び底板１６Ａには、ドア５０の上下端部を摺動可能に嵌入させる溝部６４が形成されている。
【００１６】
また、ドア５０の後端部中央には、シャフト５２が突設されており、そのシャフト５２には、コイルバネ５８が挿嵌されている。そして、シャフト５２の後端には、そのコイルバネ５８の脱落を防止する拡開部５４が形成されている。また、下ケース１６には、そのシャフト５２に挿嵌されたコイルバネ５８の後端を係止する係止部６２を有する支持台６０が突設されている。
【００１７】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００１８】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００１９】
また、ケース１２の左後部には、記録テープＴへの記録可・不可が設定されるライトプロテクト７０が左右方向にスライド可能に設けられており、ケース１２の後壁には、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００２０】
また更に、下ケース１６には、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようにしている。なお、この突部７４は下ケース１６の下面から突出することはない。
【００２１】
次に、リール２０及び不使用時（ドライブ装置に装填されないとき）にリール２０の回転を阻止する制動部材８０等について説明する。ケース１２の内部には、ポリカーボネート（ＰＣ）等の樹脂製のリール２０が１つだけ回転可能に収容される。このリール２０は、図６で示すように、リール２０の軸心部を構成する円筒状のリールハブ２２と、その上端部側に設けられる環状の上フランジ２４と、その下端部側に設けられる円板状の下フランジ２６とで構成されている。
【００２２】
上フランジ２４の内周縁部には、環状延設部２４Ａが所定高さで立設されており、下フランジ２６の上面で、かつ環状延設部２４Ａと同軸的に当接可能な所定位置には、環状延設部２６Ａが所定高さで立設されている。そして、環状延設部２６Ａの上面には、溶着用のリブ２６Ｂが等間隔で複数（例えば３個）突設されており、これによって、環状延設部２４Ａの下面に環状延設部２６Ａの上面が超音波溶着される構成になっている。
【００２３】
つまり、環状延設部２４Ａと環状延設部２６Ａの高さは、それぞれリールハブ２２の高さの約１／２ずつとされており、環状延設部２４Ａと環状延設部２６Ａの外周面側に、リールハブ２２が相対回転不能に設けられるようになっている。すなわち、下フランジ２６の上面で、延設部２６Ａの径方向外側には、回り止め部としての係合突起２７が等間隔に複数（例えば３個）所定高さで突設されており、リールハブ２２の下面には、各係合突起２７が嵌入（係合）可能な係合凹部（図示省略）が等間隔に複数（例えば３個）形成されている。
【００２４】
したがって、その係合突起２７が図示しない係合凹部に嵌入（係合）することにより、リールハブ２２が、下フランジ２６と、その下フランジ２６に溶着される上フランジ２４に対して相対回転不能となる構成である。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持される。なお、延設部２４Ａ、２６Ａの内周面には、その全高に亘って連通する凹部２５が等間隔に複数（例えば３個）形成されているが、この凹部２５については、後述するリール組立用治具１１０と共に説明する。
【００２５】
一方、図１乃至図３で示すように、下フランジ２６の下面には、リールギア４４が環状に形成されており、下ケース１６の略中央には、そのリールギア４４を外部に露出するためのギア開口４０が穿設されている。このギア開口４０から露出されるリールギア４４が、ドライブ装置の回転シャフト１００に形成された駆動ギア１０２（図４、図５参照）に噛合されて回転駆動されることにより、ケース１２内において、リール２０がケース１２に対して相対回転可能とされる。
【００２６】
また、下フランジ２６の下面におけるリールギア４４の径方向内側には、磁性材より成る環状のリールプレート４６がインサート成形等により固着されており、ドライブ装置の回転シャフト１００に設けられた環状のマグネット（図示省略）の磁力によって吸着・保持されるようになっている。更に、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００２７】
また、図６で示すように、下フランジ２６の環状延設部２６Ａよりも径方向内側で、かつ下フランジ２６と同軸的な円形の軌跡上となる所定位置には、係合ギア４８が等間隔に複数（例えば１２０度間隔で３個）立設されており、その係合ギア４８の間で、かつ底面視においてリールギア４４上となる所定位置には、貫通孔２９が等間隔に複数（この場合は１２０度間隔で３個）穿設されている。そして、そのリールハブ２２の内部には、例えばポリアセタール（ＰＯＭ）等の樹脂材で成形された円板状の制動部材８０が挿設される。
【００２８】
図１乃至図３で示すように、制動部材８０の下面８０Ａ周縁部には、係合ギア４８と噛合可能な制動ギア８４が環状に形成されている。そして、制動部材８０の上面には、上ケース１４の天板１４Ａ内面から下方へ向かって突設された平面視略十字状の回転規制リブ７６が内部に挿入される平面視略十字状の溝部８６Ａを有する係合壁部８６が、その回転規制リブ７６の高さよりも若干高くなるように立設されている。これにより、制動部材８０は、ケース１２（上ケース１４）に対して回転不能とされるとともに、リールハブ２２内において傾くことなくガイドされつつ、上下方向に移動可能となる構成である。
【００２９】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。これにより、圧縮コイルスプリング９８の位置が径方向にずれない構成であり、この圧縮コイルスプリング９８の付勢力により、制動部材８０は、常時下方に向かって付勢される。
【００３０】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。また、制動部材８０のリールハブ２２内におけるガタつき（径方向の位置ずれ）を抑止するために、環状延設部２６Ａの内周面には、その全高に亘る長さとされた位置規制用のリブ２８が、等間隔に複数突設されている（図６、図７、図８参照）。
【００３１】
また、リールハブ２２の内部で、かつ制動部材８０の下側（下フランジ２６と制動部材８０との間）には、例えばポリブチレンテレフタレート（ＰＢＴ）等の樹脂材で成形された平面視略正三角形状の解除部材９０が設けられる。解除部材９０には、適宜位置に所定の形状とされた貫通孔９２が複数（図示のものは六角形状とされて３つ）穿設されており、解除部材９０の軽量化が図られている。
【００３２】
また、解除部材９０の下面で、かつ各頂点部分には、貫通孔２９に挿通されて下フランジ２６のリールギア４４上から所定高さ下方へ突出する略円柱状の脚部９４が突設されている。したがって、回転シャフト１００の駆動ギア１０２がリールギア４４に噛合する動作に伴って、その脚部９４が押し上げられ、解除部材９０を介して制動部材８０が押し上げられる構成である。
【００３３】
なお、このとき、解除部材９０が最上位まで（通常２ｍｍ〜３ｍｍ程度）上昇しても、脚部９４が貫通孔２９から完全に外れないように構成されている。また、解除部材９０の上面中央には平面視円形状の平面部９６が形成されており、制動部材８０の下面８０Ａ中央に突設された略半球状の解除突起８２が当接するようになっている（図４、図５参照）。したがって、制動部材８０と解除部材９０との接触面積が低減され、使用時（リール２０の回転時）における摺動抵抗が軽減される。
【００３４】
以上のような構成の記録テープカートリッジ１０及びリール２０において、次に、その作用について説明する。上記構成の記録テープカートリッジ１０では、不使用時（保管時や運搬時等）には、開口１８がドア５０によって閉塞されている。そして、記録テープＴがリール２０のリールハブ２２に巻装されている。
【００３５】
記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って溝部６４内を後側へ摺動し、開口１８を開放する。
【００３６】
こうして、記録テープカートリッジ１０がドライブ装置に所定深さ装填され、開口１８が完全に開放されると、ドライブ装置の位置決め部材（図示省略）が、下ケース１６に形成された位置決め用の穴部（図示省略）に相対的に挿入される。ここで「相対的」としているのは、記録テープカートリッジ１０が下降する場合と、位置決め部材が上昇する場合があるからで、以下「相対的」とした場合は同様である。これにより、記録テープカートリッジ１０がドライブ装置内における所定位置に精度よく位置決めされ、ドア５０のそれ以上の摺動（後方への移動）が規制される。
【００３７】
また、記録テープカートリッジ１０が所定位置に位置決めされると、回転シャフト１００が相対的にギア開口４０から進入し、駆動ギア１０２をリールギア４４に噛合させる。すると、その駆動ギア１０２がリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００３８】
そして、駆動ギア１０２とリールギア４４とが完全に噛合した状態で、リールプレート４６が、駆動ギア１０２の内側に設けられた環状のマグネット（図示省略）の磁力によって吸着・保持されることにより、リール２０は、駆動ギア１０２に対するリールギア４４の噛合が維持されつつ、ケース１２内で、そのケース１２に対して相対回転可能となるロック解除状態とされる（図５参照）。
【００３９】
一方、開放された開口１８からは、ドライブ装置側に設けられた引出部材がケース１２内に進入し、ピン保持部３６に位置決め保持されたリーダーピン３０を把持して引き出す。なお、このとき、記録テープカートリッジ１０はドライブ装置内において精度よく位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００４０】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００４１】
情報の記録や再生が終了した記録テープカートリッジ１０をドライブ装置から排出する際には、まず、回転シャフト１００が逆回転することにより、記録テープＴがリール２０に巻き戻される。そして、記録テープＴがリール２０に最後まで巻き戻されて、リーダーピン３０がピン保持部３６に保持されると、位置決め部材が位置決め用の穴部から相対的に抜き出されるとともに、回転シャフト１００がギア開口４０から相対的に抜き出され、リールギア４４に対する駆動ギア１０２の噛合が解除される。
【００４２】
すると、圧縮コイルスプリング９８の付勢力により、制動部材８０及び解除部材９０が下方に向かって押圧され、貫通孔２９に挿通されている脚部９４がリールギア４４上における下フランジ２６の下面から所定高さ下方へ突出するとともに、制動ギア８４が係合ギア４８に噛合する。これにより、リール２０は、再度ケース１２内での相対回転が阻止された回転ロック状態となる（図４参照）。
【００４３】
その後、記録テープカートリッジ１０は、図示しないイジェクト機構によって矢印Ａ方向とは反対方向に移動される。すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００４４】
次に、以上のような記録テープカートリッジ１０のリール２０を組み立てるときに使用するリール組立用治具１１０について説明する。図６乃至図８で示すように、このリール組立用治具１１０はリール２０を載置する受台１１２を有しており、その受台１１２の上面には、各貫通孔２９に挿通可能な複数（この場合は３本）の円柱状基準ピン１１４が等間隔に立設されている。したがって、リール２０を組み立てるときには、まず、下フランジ２６に穿設されている貫通孔２９に基準ピン１１４を挿通しつつ受台１１２に下フランジ２６を載置する。
【００４５】
このとき、貫通孔２９の径方向外側に設けられている延設部２６Ａの内周面には、基準ピン１１４を許容する（基準ピン１１４が係合する）平面視円弧状の凹部２５が形成されているので、下フランジ２６は基準ピン１１４によって精度よく位置決めされる。すなわち、延設部２６Ａの内周面には、貫通孔２９及び基準ピン１１４と同一曲率となる平面視円弧状の凹部２５が形成されているので、下フランジ２６は基準ピン１１４に径方向及び周方向にずれることなく、確実に位置決めされる。
【００４６】
その後、リールハブ２２を延設部２６Ａに挿嵌するとともに、係合突起２７をリールハブ２２の下面に形成された図示しない係合凹部に嵌入（係合）させ、続いて、上フランジ２４の延設部２４Ａをリールハブ２２の内側に挿入させる。このとき、上フランジ２４の延設部２４Ａの内周面にも、上記と同様に基準ピン１１４を許容する（基準ピン１１４が係合する）平面視円弧状の凹部２５が形成されているので、上フランジ２４は下フランジ２６に対して精度よく位置決めされて、その延設部２４Ａの下面を延設部２６Ａの上面に当接させることができる。
【００４７】
よって、この状態で、下フランジ２６に上フランジ２４を溶着することにより、リール２０を精度よく組み立てることができる。つまり、リールハブ２２に対する上フランジ２４及び下フランジ２６の芯出し精度（回転中心を一致させる位置決め精度）を向上させることができる。したがって、リール２０の回転時において、上フランジ２４及び下フランジ２６の面振れを抑制することができ、上フランジ２４及び下フランジ２６が記録テープＴの幅方向端部に接触するような不具合の発生を防止することができる。
【００４８】
以上、説明したように、リール組立用治具１１０の受台１１２に、下フランジ２６に形成された貫通孔２９に挿通させる基準ピン１１４を立設し、上フランジ２４の延設部２４Ａの内周面と、下フランジ２６の延設部２６Ａの内周面に、その基準ピン１１４を許容する凹部２５を形成したので、延設部２４Ａと延設部２６Ａの相対位置が基準ピン１１４によって規制される。したがって、リールハブ２２の内側に挿入して溶着する上フランジ２４と下フランジ２６の位置決めが精度よくできる。つまり、リールハブ２２に対する上フランジ２４及び下フランジ２６の位置決めが精度よくできる。
【００４９】
なお、上記実施例では、３ピース構造のリール２０について説明したが、例えば下フランジ２６とリールハブ２２が一体成形され、リールハブ２２の上端部に上フランジ２４が溶着される２ピース構造のリール（図示省略）にも適用が可能である。また、上記実施例では、リーダー部材として、リーダーピン３０を有する構成としたが、リーダーブロック（図示省略）やリーダーテープ（図示省略）を有する構成としてもよく、開口１８を開閉するドア５０も、例えば所定の円弧（図示省略）に沿って移動する構成にしてもよい。
【００５０】
また、上記実施例では、リール２０が単一で収容される記録テープカートリッジ１０について説明したが、リール２０が２つ収容される記録テープカセット（図示省略）にも適用が可能である。また、記録テープＴは情報の記録及び記録した情報の再生が可能な長尺テープ状の情報記録再生媒体として把握されるものであれば足り、記録テープカートリッジ１０（リール２０）が如何なる記録再生方式の記録テープＴにも適用可能であることは言うまでもない。
【図面の簡単な説明】
【００５１】
【図１】記録テープカートリッジの概略斜視図
【図２】記録テープカートリッジを上から見た場合の概略分解斜視図
【図３】記録テープカートリッジを下から見た場合の概略分解斜視図
【図４】回転シャフトの駆動ギア噛合前の記録テープカートリッジを示す概略側断面図
【図５】回転シャフトの駆動ギア噛合後の記録テープカートリッジを示す概略側断面図
【図６】リール組立用治具とリールの構成を示す概略分解斜視図
【図７】リール組立用治具によって組み立てられたリールを示す概略斜視図
【図８】リール組立用治具によって組み立てられたリールを示す概略側断面図
【符号の説明】
【００５２】
１０  記録テープカートリッジ
１２  ケース
２０  リール
２２  リールハブ
２４  上フランジ（第１フランジ）
２４Ａ  延設部（第１延設部）
２５  凹部（許容部）
２６  下フランジ（第２フランジ）
２６Ａ  延設部（第２延設部）
２７  係合突起
２９  貫通孔
３０  リーダーピン
４４  リールギア
４８  係合ギア（係合部）
８０  制動部材
８２  解除突起
８４  制動ギア
９０  解除部材
９４  脚部
１００  回転シャフト
１０２  駆動ギア
１１０  リール組立用治具
１１２  受台
１１４  基準ピン（基準部材）
【図１】
2007335053.tif 000003
【図２】
2007335053.tif 000004
【図３】
2007335053.tif 000005
【図４】
2007335053.tif 000006
【図５】
2007335053.tif 000007
【図６】
2007335053.tif 000008
【図７】
2007335053.tif 000009
【図８】
2007335053.tif 000010